(57)【要約】【課題】ガスの濃度を測定する空間分解能が高いガス濃度測定装置およびガス濃度連続測定方法を提供する。【解決手段】パルスレーザー光を出射する発振器１１を備えたレーザー装置１０と、被照射空間の測定対象ガスからのラマン散乱光を検出する光センサ２６を備える検出装置２０と、を備え、前記レーザー装置１０から出射される前記パルスレーザー光の光軸Ｌ１と、前記検出装置２０の受光光学系２１〜２６の光軸Ｌ２とが交差するように、前記レーザー装置１０と前記検出装置２０とを離して配置したバイスタティックライダータイプの構成を有するガス濃度測定装置およびガス濃度連続測定方法。【選択図】図３
2020034475.tif 000002
【特許請求の範囲】
【請求項１】
パルスレーザー光を出射する発振器を備えたレーザー装置と、
被照射空間の測定対象ガスからのラマン散乱光を検出する光センサを備えた検出装置と、を備え、
前記レーザー装置から出射される前記パルスレーザー光の光軸と、前記検出装置の受光光学系の光軸とが交差するように、前記レーザー装置と前記検出装置とを離して配置したバイスタティックライダータイプの構成を有するガス濃度測定装置。
【請求項２】
前記レーザー装置から出射される前記パルスレーザー光の光軸と、前記検出装置の受光光学系の光軸とがなす角度が７０〜１１０°となるように、前記レーザー装置と前記検出装置とを保持する支持具を有する、請求項１に記載のガス濃度測定装置。
【請求項３】
前記検出装置の受光光学系は、前記被照射空間と前記光センサとを結ぶ直線上、かつ、前記被照射空間で焦点が合焦する位置に配置され、前記被照射空間で発生したラマン散乱光を集光する集光光学系を有する、請求項１または２に記載のガス濃度測定装置。
【請求項４】
前記検出装置は、前記被照射空間と前記光センサとを結ぶ直線上にピンホールを有する、請求項１ないし３のいずれかに記載のガス濃度測定装置。
【請求項５】
前記検出装置は、前記ピンホールよりも前記被照射空間側に集光光学系を有し、
前記集光光学系の焦点位置に前記ピンホールが配置される、請求項４に記載のガス濃度測定装置。
【請求項６】
前記ピンホールの開口径または設置位置を変えることで、測定対象ガスの濃度を測定する空間分解能を調整可能な、請求項４に記載のガス濃度測定装置。
【請求項７】
測定対象ガスの濃度を５００Ｈｚ超の周波数で連続測定可能な、請求項１ないし６のいずれかに記載のガス濃度測定装置。
【請求項８】
測定対象ガスを数センチメートル以下の空間分解能で測定可能な、請求項１ないし７のいずれかに記載のガス濃度測定装置。
【請求項９】
測定対象ガスを数ミリメートル単位で測定可能な、請求項８に記載のガス濃度測定装置。
【請求項１０】
レーザー装置からレーザー光を被照射空間にパルス出射し、
前記レーザー光の光軸と交差する光軸を有する光センサを備えた検出装置により被照射空間の測定対象ガスからのラマン散乱光を検出する、ガス濃度連続測定方法。 
【発明の詳細な説明】
【技術分野】
【０００１】
本発明は、ラマン散乱光を利用して、非接触によりガスの濃度を測定するガス濃度測定装置およびガス濃度連続測定方法に関する。
【背景技術】
【０００２】
従来、非接触によりガスの濃度を測定可能なガスセンサとして、レーザー光をガスに照射し、これにより発生したラマン散乱光を検出する技術が知られている。ラマン散乱は、単色光を分子に照射したときに、散乱光の周波数が分子の振動周波数だけ変移する現象であり、この散乱光の周波数変移量は、照射した単色光の周波数に無関係で、物質に固有の量である。そのため、特定波長のレーザー光を測定対象の物質に照射すると、レーザー光が当たった物質から、レーザー光の波長と異なる波長のラマン散乱光が発生する。また、その散乱光の強度は、その物質の密度に比例することが知られている。
【０００３】
上述のラマン散乱光を利用して、たとえば、特許文献１では、監視対象空間にレーザー光を照射し、測定対象ガスに応じた波長のラマン散乱光を集光し、集光したラマン散乱光の空間強度分布を画像化することで、漏洩ガスを可視化するガス漏洩監視方法が開示されている。
【先行技術文献】
【特許文献】
【０００４】
【特許文献１】特許第３７８３０１９号公報
【発明の概要】
【発明が解決しようとする課題】
【０００５】
従来技術では、照射するレーザー光の光軸と、検出するラマン散乱光の光軸とが一致（または平行）するように、レーザー光の照射位置と当該レーザー光により発生したラマン散乱光の検出位置とを同じ位置に配置（併置）した、いわゆるモノスタティックライダータイプの構成を有している。この場合、１パルス間に照射されたレーザー光により生じたラマン散乱光を、１パルスの分だけ検出することとなるため、ガスの濃度を測定可能な空間の最小範囲（空間分解能）はパルスレーザー光のパルス幅に依存してしまうという問題があった。たとえば、パルスレーザー光のパルス幅が５ナノ秒である場合はガスの濃度を測定可能な空間分解能は７５ｃｍ程度となり、ガスをピンポイント（たとえばミリメートル単位の空間分解能）で測定することができないという問題があった。また、流れを伴う環境においてガスの濃度を非接触で高速連続測定可能とする技術も求められている。
【０００６】
本発明は、ガスの有無やその濃度をピンポイント（ミリメートル単位の空間分解能）で測定することができるガス濃度測定装置およびガス濃度連続測定方法を提供することを目的とする。
【課題を解決するための手段】
【０００７】
本発明に係るガス濃度測定装置は、パルスレーザー光を出射する発振器を備えたレーザー装置と、被照射空間の測定対象ガスからのラマン散乱光を検出する光センサを備えた検出装置とを備え、前記レーザー装置から出射される前記パルスレーザー光の光軸と、前記検出装置の受光光学系の光軸とが交差するように、前記レーザー装置と前記検出装置とを離して配置したバイスタティックライダータイプの構成を有する。
上述したガス濃度測定装置において、前記レーザー装置から出射される前記パルスレーザー光の光軸と、前記検出装置の受光光学系の光軸とがなす角度が７０〜１１０°となるように、前記レーザー装置と前記検出装置とを保持する支持具を有するように構成することができる。
上述したガス濃度測定装置において、前記検出装置の受光光学系は、前記被照射空間と前記光センサとを結ぶ直線上、かつ、前記被照射空間で焦点が合焦する位置に配置され、前記被照射空間で発生したラマン散乱光を集光する集光光学系を有するように構成することができる。
上述したガス濃度測定装置において、前記検出装置は、前記被照射空間と前記光センサとを結ぶ直線上にピンホールを有するように構成することができる。
上述したガス濃度測定装置において、前記検出装置は、前記ピンホールよりも前記被照射空間側に集光光学系を有し、前記集光光学系の焦点位置に前記ピンホールが配置されるように構成することができる。
上述したガス濃度測定装置において、前記ピンホールの開口径または設置位置を変えることで、測定対象ガスの濃度を測定する空間分解能を調整可能なように構成することができる。
上述したガス濃度測定装置において、測定対象ガスの濃度を５００Ｈｚ超の周波数で連続測定可能なように構成することができる。
上述したガス濃度測定装置において、測定対象ガスを数ミリメートル単位で測定可能なように構成することができる。
【０００８】
本発明に係るガス連続測定方法は、レーザー装置からレーザー光を被照射空間にパルス出射し、前記レーザー光の光軸と交差する光軸を有する光センサを備えた検出装置により被照射空間の測定対象ガスからのラマン散乱光を検出する。
【発明の効果】
【０００９】
本発明によれば、ガスをピンポイントで連続して測定することができる。
【図面の簡単な説明】
【００１０】
【図１】モノスタティックライダータイプのガス濃度測定装置によるガスの濃度の測定方法を説明するための図である。
【図２】本実施形態に係るバイスタティックライダータイプのガス濃度測定装置によるガスの測定方法を説明するための図である。
【図３】本実施形態に係るガス濃度測定装置を示す構成図である。
【図４】本実施形態に係る受光光学系の配置を示す図である。
【図５】本実施形態に係るガス濃度測定装置で測定した水素ガス由来のラマン散乱光の信号強度の時間波形の一例を示す図である。
【図６】本実施形態に係るガス濃度測定装置で測定した水素ガスの濃度とラマン散乱光の信号強度との関係の一例を示す図である。
【図７】本実施形態に係るガス濃度測定装置における空間分解能を特定する試験方法を説明するための図である。
【図８】本実施形態に係るガス濃度測定装置の空間分解能の一例を示す図である。
【図９】本実施形態に係るガス濃度測定装置を用いて開放空間のＣＯ２ガスの濃度を測定した場合の測定結果を示すグラフである。
【図１０】パルスレーザー光の光軸Ｌ１と受光光学系の光軸Ｌ２との角度と、被照射空間（空間分解能）との関係を説明するための図である。
【発明を実施するための形態】
【００１１】
以下に、図に基づいて、本実施形態に係るガス濃度測定装置を説明する。本実施形態では、測定対象とする水素ガスの濃度を測定するガス濃度測定装置を例示して説明するが、本発明において、測定対象とするガスは水素ガスに限定されず、たとえばＣＯ２，Ｏ２，ＣＯ，Ｎ２，Ｈ２Ｓ，ＣＨ４，ＮＨ３を測定対象とすることができる。また、本実施形態では、ガスの濃度を測定するガス濃度測定装置を例示して説明するが、本発明は、ガス濃度を測定する装置に限定されず、たとえば測定対象箇所に存在するガスを特定する装置、または測定対象とするガスが存在するかを監視する装置としても適用することができる。
【００１２】
まず、図１および図２を参照して、本実施形態に係るガス濃度測定装置によるガスの測定方法について説明する。なお、図１は、従来のモノスタティックライダータイプのガス濃度測定装置によるガスの測定方法を説明するための図であり、図２は、本実施形態に係るバイスタティックライダータイプのガス濃度測定装置によるガスの濃度の測定方法を説明するための図である。
【００１３】
図１（Ａ）に示すように、従来のガス濃度測定装置は、パルスレーザー光を照射するレーザー装置と、ラマン散乱光を検出する光検出装置とが同じ位置に配置（併置）されており、レーザー装置から照射されるパルスレーザー光の光軸と、光検出装置が検出するラマン散乱光の光軸とが一致（または平行）する、いわゆるモノスタティックライダータイプの構成を有している。この場合、図１（Ｂ）に示すように、Ｐ１に存在するガスから生じたラマン散乱光も、Ｐ２に存在するガスから生じたラマン散乱光も、１パルス間で照射されたパルスレーザー光により検出されたラマン散乱光として検出される。ここで、たとえばパルスレーザー光のパルス幅が５ナノ秒である場合には、５ナノ秒の間、パルスレーザー光が照射されることとなり、この１パルスの間に照射されたパルスレーザー光により生じたラマン散乱光は、約７５ｃｍの範囲に存在するガスから生じたものとなる。このように、従来のガス濃度測定装置の空間分解能（ガスの濃度を測定できる空間の最小範囲）は、パルス幅に依存することとなり、ミリメートル単位の空間分解能を得るためには、レーザー装置においてレーザー光のパルス幅をさらに短くする必要があったが、ミリメートル単位の空間分解能が得られるパルス幅のパルスレーザー光を照射可能なレーザー装置は費用や技術の面から搭載が困難であった。
【００１４】
これに対して、本実施形態に係るガス濃度測定装置は、図２（Ａ）に示すように、パルスレーザー光を照射するレーザー装置と、ラマン散乱光を検出する光検出装置とが離れて配置されており、レーザー装置から照射されるパルスレーザー光の光軸と、光検出装置の受光光学系の光軸とが交差する、いわゆるバイスタティックライダータイプの構成を有している。この場合、図２（Ｂ）に示すように、パルスレーザー光を１パルスのパルス幅で照射した場合も、被照射空間のうち、たとえばＰ３において生じたラマン散乱光ＲＬ１のみを検出することができるため、既存のライダー装置を用いて、ガスの濃度を測定する際の空間分解能をミリメートル単位とすることができる。なお、ラマン散乱光ＲＬ３のように、測定対象箇所Ｐ３以外の箇所Ｐ４で生じたラマン散乱光も光検出装置に向かって射出されるが、後述するように、本実施形態に係るガス濃度測定装置では、受光光学系の光学配置と光検出装置に設けたピンホールにより、測定対象箇所Ｐ３以外の箇所Ｐ４で生じたラマン散乱光ＲＬ３を遮断し、測定対象箇所Ｐ３で生じたラマン散乱光ＲＬ１のみを検出することが可能となっている。
【００１５】
また、本実施形態において「ミリメートル単位の空間分解能」とは、奥行き、高さ、幅がいずれもがミリメートル単位である空間を測定できる能力を意味する。後述するように、パルスレーザー光のビーム径は１ｍｍφであるため、奥行きおよび高さは、従来においてもミリメートルとなっており、本実施形態では、空間分解能のうち幅の分解能をミリメートル単位とすることを目的としている。なお、以下においては、説明の便宜から、幅についての空間分解能を単に空間分解能として説明する。
【００１６】
図３は、本実施形態に係るガス濃度測定装置１の構成図である。なお、図３に示すガス濃度測定装置１では、ガス測定対象空間として、ガスセル内に充填した被照射物（水素ガス）を検出する構成を例示しているが、ガス測定対象空間を開放空間とすることも可能である。図３に示すように、本実施形態に係るガス濃度測定装置１は、レーザー装置１０および光検出装置２０を有し、レーザー装置１０により発振したパルスレーザー光を、ガスセル内の水素ガスに照射し、これにより生じたラマン散乱光を、光検出装置２０で検知する。以下に、各構成について説明する。
【００１７】
レーザー装置１０は、被照射物に照射するためのパルスレーザー光を発振し、照射する。本実施形態では、レーザー装置１０のレーザー光源１１としてＮｄ：ＹＬＦレーザーを使用しているが、レーザー光源１１はこれに限定されない。本実施形態において、Ｎｄ：ＹＬＦレーザーは、第３高調波である３４９ｎｍのパルスレーザー光を、数ｎｓ〜数十ｎｓのパルス幅、且つ、１０Ｈｚ〜数ｋＨｚの繰り返し周波数で出力する。また、レーザー装置１０は、レーザー光源から射出されたパルスレーザー光のビーム径が測定箇所（ガスセル内の箇所）において１ｍｍφとなるように、球面平凹レンズと球面平凸レンズからなるビームエキスパンダー１２を有している。レーザー装置１０から照射されたパルスレーザー光は、ガスセルへと照射される。
【００１８】
光検出装置２０は、図３に示すように、レーザー装置１０から照射されたパルスレーザー光が測定対象のガスに衝突して生じたラマン散乱光を受光する光センサ２６を備えている。この光センサ２６は、一つの光センサから構成されたもの（例えば、アバランシェフォトダイオードまたは光電子倍増管）であってもよいし、複数の光センサによって構成されたマルチチャンネル型センサ（たとえば、ＣＣＤセンサまたはＣＭＯＳセンサ）であってもよい。なお、本実施形態では、光センサ２６として光電子倍増管を用いている。
【００１９】
図３に示すように、光検出装置２０は、レーザー装置１０から照射されるパルスレーザー光の光軸Ｌ１と、光検出装置２０の受光光学系の光軸Ｌ２とが交差するように、レーザー装置１０から離れた位置に配置された、いわゆるバイスタティックライダータイプの構成を有している。具体的には、本実施形態において、光検出装置２０は、図３に示すように、レーザー装置１０から照射されるパルスレーザー光の光軸Ｌ１と、光検出装置２０の受光光学系の光軸Ｌ２とが９０°の角度で交差するように配置される。なお、図示していないが、本実施形態に係るガス濃度測定装置１は、レーザー装置１０から照射されるパルスレーザー光の光軸Ｌ１と、光検出装置２０の受光光学系の光軸Ｌ２とが９０°の角度で交差するように、レーザー装置１０と光検出装置２０との位置を固定する支持具または治具を有する。
【００２０】
また、光検出装置２０は、図３および図４に示すように、受光光学系２１〜２６を有している。図４は、光検出装置２０の受光光学系２１〜２６の配置を示す図である。集光光学系２１は、測定対象ガスから放出されたラマン散乱光を集光するための光学系である。集光光学系２１は、特に限定されず、天体望遠鏡などを用いることができるが、本実施形態では、装置の小型化の観点から、フレネルレンズを用いている。また、集光光学系２１としては、測定対象ガス由来のラマン散乱光の波長域を透過するものが好ましい。たとえば、レーザー光源１１の照射波長が３４９ｎｍの場合、測定対象ガスが水素ガスの場合はラマン散乱光の波長域は４０８．３ｎｍとなり、測定対象ガスが窒素ガスの場合はラマン散乱光の波長域は３７９．９ｎｍとなり、測定対象ガスが酸素ガスの場合はラマン散乱光の波長域は３６９．０ｎｍとなる。本実施形態では、水素ガス由来のラマン散乱光を検出するために、近紫外線の透光性の高いアクリル製のレンズを用いている。
【００２１】
集光光学系２１の焦点位置には、ピンホール２２が配置される。ピンホール２２は、所定の開口径の孔を有する部材であり、開口径は、必要とする空間分解能に応じて適宜設定することができる。たとえば、図４に示すように、測定対象箇所から集光光学系２１までの距離をＬｍとし、集光光学系２１からピンホール２２までの距離をＬｐとし、ピンホール２２の開口径をＡｐとした場合、測定対象箇所の視野径Ａｍは下記式１により求めることができる。
【数１】
2020034475.tif 000003
【００２２】
たとえば、集光光学系２１であるフレネルレンズの焦点距離が２３０ｍｍである場合、測定対象箇所から集光光学系２１までの距離Ｌｍを７５０ｍｍとし、集光光学系２１からピンホール２２までの距離Ｌｐを３３０ｍｍとし、ピンホール２２の開口径Ａｐを１ｍｍφとすることで、上記式１から測定対象箇所の視野径Ａｍは２．３ｍｍとなる。すなわち、この場合、論理上、測定対象箇所の水素ガスの空間分解能を２．３ｍｍとすることができる。ただし、後述するように、測定対象箇所の実際の空間分解能は、論理上の空間分解能に比べて多少大きくなる傾向にあり、必ずしも一致しない場合がある。
【００２３】
本実施形態において、ピンホール２２よりも後方（測定対象箇所と反対側）には、集光したラマン散乱光を平行光とする凸レンズ２３が配置され、さらにその後方には、ラマン分光用エッジフィルタ２４が配置される。ラマン分光用エッジフィルタ２４は、パルスレーザー光の波長に対応する光を遮断する一方、ラマン散乱光に応じた波長の光を透過するフィルタである。このようなラマン分光用エッジフィルタ２４として、たとえばパルスレーザー光の波長である３４９ｎｍにおける透過率が１０−６未満であり、かつ、３６０ｎｍ以上の波長の光の透過率が約９５％であるフィルタを用いることができる。さらに、ラマン分光用エッジフィルタ２４の後方であって、光センサ２６の前方には、測定対象のガス（本実施形態では水素ガス）のラマン散乱光を選択的に受光するためのバンドパスフィルタ２５が配置されている。たとえば、測定対象のガスが水素ガスである場合には、水素ガスのラマン散乱光の波長は４０８．３ｎｍであるため、このようなバンドパスフィルタ２５として、たとえば中心波長が４１０ｎｍであり、半値全幅が１０ｎｍのものを用いることができる。
【００２４】
なお、バンドパスフィルタ２５は、図３に示すように、複数枚の異なる透過中心波長を有するフィルタが装着可能なフィルタホイール２７に実装することができる。この場合、異なる種類のガスに由来するラマン散乱光の波長に対応する透過波長帯域のバンドパスフィルタを別のポジションに実装しておきホイールを回転させることにより、水素ガス以外の分子（たとえば窒素ガスや酸素ガス）の測定も可能となる。
【００２５】
バンドパスフィルタ２５を通過したラマン散乱光は、光センサ２６により受光される。光センサ２６は、ラマン散乱光の強度に応じた信号強度の受光信号をオシロスコープなどの測定装置３０に出力する。また、本実施形態において、ガス濃度測定装置１は、一定の周期（たとえば１ｋＨｚに対応する１ミリ秒周期）で、パルスレーザー光の照射およびラマン散乱光の検出を行っており、複数回分の検出結果の平均値（たとえば１秒間で検出した１０００回分の検出結果の平均値）を、ラマン散乱光の受光信号強度として出力することができる。
【００２６】
次に、本実施形態に係るガス濃度測定装置１の検出特性について説明する。図５は、本実施形態に係るガス濃度測定装置１で検出されたラマン散乱光の受光信号強度の時間波形の一例を示すグラフである。より具体的には、図５は、本実施形態に係るガス濃度測定装置１を用いて水素ガスから生じたラマン散乱光を検出した場合の、ラマン散乱光の受光信号強度と時間との関係を示している。なお、図５に示す例では、ガスセルに既知濃度の低濃度水素混合ガスを充填し、パルス幅が５ナノ秒のパルスレーザー光を照射してラマン散乱光を検出した。また、図５に示す例で用いた低濃度水素混合ガスは、窒素との混合ガスであり、かつ、水素ガス濃度が１０００ｐｐｍの標準ガスであり、ガスセル内における低濃度水素混合ガスの充填圧力を変化させて、ガスセル内の水素ガスの濃度を２００ｐｐｍ，６００ｐｐｍ，１０００ｐｐｍに調整し、ラマン散乱光を検出した。なお、図５に示すラマン散乱光の受光信号強度は、窓材による反射などを理由とする外乱を除去するために、水素ガスを充填していない場合のブランクで検出された受光信号強度を、水素ガスを充填した場合の受光信号強度から差し引いたものを示している。また、ラマン散乱光は、微弱な光であるため、図５では、ラマン散乱光の検出を１０００回行った受光信号強度の積算値（積算時間１秒）を表示している。
【００２７】
パルス幅が５ナノ秒のパルスレーザー光を照射した場合、論理上、当該パルスレーザー光により生じたラマン散乱光も５ナノ秒の時間幅で検出されると考えられる。しかしながら、図５に示すように、ラマン散乱光の信号強度の時間幅（半値幅）は、パルス幅の約２倍の１０ナノ秒程度となった。これは、パルス幅が５ナノ秒のパルスレーザー光が測定対象箇所に入射し、通過し終えるまでに要する時間と同程度の時間であり、パルスレーザー光が測定対象箇所を通過するまでの間、ラマン散乱光が検出された結果であると考えられる。また、図５に示す時間波形では、受光信号強度が小さい複数のピークが存在しているが、これらピークは、光源のパルス発振に起因する電気的なノイズの影響であると考えられる。
【００２８】
図６は、本実施形態に係るガス濃度測定装置１で検出されたラマン散乱光の受光信号強度と水素ガスの濃度との関係の一例を示す図であり、図５に示すようなラマン散乱光の受光信号強度の時間波形の最大値を、水素ガスの各濃度でプロットしたグラフである。図６に示すように、水素ガスの濃度が高くなるほど、ラマン散乱光の受光信号強度が高くなっており、水素ガスのガス濃度とラマン散乱光の受光信号強度とには線形の相関関係があることが分かる。このことから、本実施形態に係るガス濃度測定装置１を用いることで、検出したラマン散乱光の受光信号強度から、水素ガスのガス濃度が測定できることが分かった。
【００２９】
次に、本実施形態に係るガス濃度測定装置１の空間分解能を確認するために、図７に示すように、ガス測定対象空間として内径１ｍｍφのガス放出ノズルを配置し、ガス放出ノズルをパルスレーザー光の光軸方向に０．５ｍｍずつスライドさせながら、ガス放出ノズルから１ｍｍ上方にパルスレーザー光を照射し、ラマン散乱光の受光信号強度を各ノズルの位置で測定した。また、図７に示す例では、水素ガス濃度が５０００ｐｐｍ（窒素ガスバランス）の標準ガスを使用し、放出量を１００ｍｌ／分としてノズルから大気空間へ自由放出した。その結果を図８に示す。なお、図８に示す例においては、各ノズル位置においてラマン散乱光の検出を２５回繰り返し行い、受光信号強度の時間波形の最大値の平均値を求めてプロットするとともに、その標準偏差をバーで表示している。
【００３０】
図８に示す例では、水素ガスのラマン散乱光の受光信号強度が幅７ｍｍ（ノズルからの距離が−３．５ｍｍ〜＋３．５ｍｍ）にわたって観測され，そのうち幅２．５ｍｍにおいてほぼ一定の値を得た。ここで、図８に示す例においても、図４に示すように受光光学系２１〜２６を配置しており、本実施形態に係るガス濃度測定装置１の視野径（空間分解能）は、上述したように論理上、２．３ｍｍとなるはずである。しかしながら、図８に示す例では、論理値よりも広い範囲でラマン散乱光が測定され、空間分解能が論理値よりも低くなっている。これは、理論値である空間分解能２．３ｍｍは、ピンホール２２が設置された位置（焦点距離３３０ｍｍ）に焦点を有するラマン散乱光のみを考慮して算出しているが、実際には、ピンホール２２の前後に焦点を有するラマン散乱光の一部もピンホール２２を通過するためと考えられる。また、ピンホール２２の加工精度や設置位置の精度も空間分解能に影響を与える要因であり、これらの要因も起因しているものと考えられる。しかしながら、本実施形態に係るガス濃度測定装置１では、論理値（設計値）と略同じ程度で、空間分解能を得られることが分かった。
【００３１】
また、図９（Ａ）および（Ｂ）は、本実施形態に係るガス濃度測定装置１を用いて開放空間のＣＯ２ガスの濃度を測定した場合の測定結果を示すグラフである。図９に示す例では、図７に示す例と同様の配置関係において、ガス放出ノズル、レーザー装置１０、および受光光学系２１〜２６を配置するとともに、図７に示す例とは異なり、ガス放出ノズルを固定し、レーザー装置１０と受光光学系２１〜２６とを架台に設置し、レーザー装置１０および受光光学系２１〜２６が一体的にガス放出ノズルに対して相対移動できるように構成した。
【００３２】
そして、内径１０ｍｍのガス放出ノズルから１００％の濃度のＣＯ２ガスを３０Ｌ／分の流量で放出し、ガス放出ノズルの中心軸（ＣＯ２ガスの放出軸）、および、ＣＯ２ガスの放出軸からパルスレーザーの光軸Ｌ１に沿って２ｍｍずつずれた各位置（放出軸から２ｍｍ、４ｍｍ、６ｍｍ、８ｍｍの位置）において、１ｋＨｚの周期でＣＯ２ガスの濃度を測定した。
【００３３】
図９（Ａ）では、測定開始から４秒までの計測結果を示し、図９（Ｂ）では、測定開始から０．０５秒までの計測結果を示している。図９（Ａ）に示すように、ガス放出ノズルの放出軸上が最もＣＯ２ガスの濃度が最も高く、放出軸から離れるほどＣＯ２ガスの濃度が低下していることが分かる。また、図９（Ｂ）に示す各プロットは、０．００１秒ごとのＣＯ２ガスの濃度を示しており、１ｋＨｚの周期という高速でガス濃度を測定できることが分かる。
【００３４】
以上のように、本実施形態に係るガス濃度測定装置１では、レーザー装置１０から出射されるレーザー光の光軸Ｌ１と、光検出装置２０の受光光学系の光軸Ｌ２とが交差するように、レーザー装置１０と光検出装置２０とを離して配置したバイスタティックライダータイプの構成とすることで、パルスレーザー光のパルス幅に依存せずに、測定対象ガスの濃度をピンポイント（数センチメートル以下の空間分解能、より好ましくはミリメートル単位の空間分解能）で測定することができる。また、本実施形態に係るガス濃度測定装置１では、ラマン散乱光の受光信号強度に基づいて測定対象ガスの濃度を直接算出することができるため、測定対象ガスの濃度を高速で連続して測定することもできる。なお、高速連続測定とは、たとえば、測定対象ガスの濃度を５００Ｈｚ超の周波数で、好ましくは１ｋＨｚ以上、より好ましくは３ｋＨｚ以上、さらに好ましくは５ｋＨｚ以上の周波数で連続測定することができる。
【００３５】
また、本実施形態に係るガス濃度測定装置１では、レーザー装置１０から出射されるパルスレーザー光の光軸Ｌ１と、光検出装置２０の受光光学系の光軸Ｌ２とがなす角度が９０°となるように、レーザー装置１０と光検出装置２０とを離して配置している。これは、パルスレーザー光と受光光学系の視野との重なりを極力小さくするためで合える。ここで、図１０（Ａ）は、パルスレーザー光の光軸Ｌ１と受光光学系の光軸Ｌ２との角度が９０°よりも小さい場合の被照射空間（空間分解能）を説明するための図であり、図１０（Ａ）は、パルスレーザー光の光軸Ｌ１と受光光学系の光軸Ｌ２との角度が９０°である場合の被照射空間（空間分解能）を説明するための図である。図１０（Ａ）および（Ｂ）に示すように、パルスレーザー光の光軸Ｌ１と受光光学系の光軸Ｌ２との角度が９０°よりも小さい場合（またはパルスレーザー光の光軸Ｌ１と受光光学系の光軸Ｌ２との角度が９０°よりも大きい）と比べて、パルスレーザー光の光軸Ｌ１と受光光学系の光軸Ｌ２との角度を９０°とした場合には、被照射空間が小さくなり、その分だけ、測定対象ガスの濃度を測定する空間分解能を高くすることができる。
【００３６】
さらに、本実施形態に係るガス濃度測定装置１において、光検出装置２０は、被照射空間と光センサ２６とを結ぶ直線上、かつ、被照射空間に焦点が合焦する位置に、被照射空間で発生したラマン散乱光を集光する集光光学系２１を有するように構成することで、被照射空間に存在する測定対象ガスをピンポイントで測定することができる。また、本実施形態に係るガス濃度測定装置１において、光検出装置２０は被照射空間と光センサ２６とを結ぶ直線上にピンホール２２を有する構成としている。これにより、図２（Ｂ）に示すように、測定対象箇所ではない位置（たとえば位置Ｐ４）から光センサ２６に向けて放射されたラマン散乱光（たとえばＲＬ３）などの外乱を検出してしまうことを抑制することができ、測定対象ガスの濃度を測定する空間分解能を向上させることができる。加えて、本実施形態に係るガス濃度測定装置１において、光検出装置２０は、ピンホール２２よりも被照射空間側に集光光学系２１を有し、集光光学系２１の焦点位置にピンホール２２が配置されるため、測定対象箇所から放射されたラマン散乱光を効率良く集光することができ、測定対象箇所で生じたラマン散乱光を高い強度で検出することが可能となる。その結果、測定対象ガスの濃度の測定精度を高めることができる。径の異なる複数のピンホールが設けられたピンホールホイールを設け、ピンホールホイールを回転させることでピンホール径を可変に構成してもよい。
【００３７】
加えて、本実施形態に係るガス濃度測定装置１は、流れを伴う環境下において、ピンポイントかつ高速でガスの濃度を連続して非接触測定することができるため、たとえば、ガスタービン内の気流のガス濃度測定を高速で連続測定するなど、噴流中の濃度変動の経時変化を連続的に測定することができる。
【００３８】
以上、本発明の好ましい実施形態例について説明したが、本発明の技術的範囲は上記実施形態の記載に限定されるものではない。上記実施形態例には様々な変更・改良を加えることが可能であり、そのような変更または改良を加えた形態のものも本発明の技術的範囲に含まれる。
【００３９】
たとえば、上述した実施形態では、水素ガスのラマン散乱光の受光信号強度と既知の水素ガスの濃度との関係を予め調べておくことで、測定対象箇所で検出した水素ガスのラマン散乱光の受光信号強度から、測定対象箇所の水素ガスの濃度を測定する構成を例示したが、この構成に限定されず、たとえば、大気中の窒素ガス（濃度が約８０％）のラマン散乱光の受光信号強度を同時に測定し、窒素ガスと水素ガスとのラマン散乱光の受光信号強度の強度比から、測定対象箇所の水素ガスの濃度を測定することもできる。なお、大気中の窒素ガスのラマン散乱光の受光信号強度は、窒素ガスのラマン散乱光の波長である３７９．９ｎｍを選択的に透過するバンドパスフィルタ２５を用いることで得ることができる。
【００４０】
また、上述した実施形態に係るガス濃度測定装置１では、１点の測定対象箇所のガスの濃度を測定する構成を例示して説明したが、複数の測定対象箇所のガスの濃度を測定する場合には、測定対象箇所の数に応じて、光検出装置２０（必要があればレーザー装置１０も）を増設した構成としてもよい。たとえば、図２（Ｂ）に示す例において、測定箇所Ｐ４に存在するガスの濃度を測定したい場合には、測定箇所Ｐ４に対応する光検出装置２０を設置する構成とすることができる。
【００４１】
さらに、上述した実施形態では、レーザー装置１０から出射されるパルスレーザー光の光軸Ｌ１と、光検出装置２０の受光光学系の光軸Ｌ２とがなす角度が９０°となるように、レーザー装置１０と光検出装置２０とを離して配置したが、レーザー装置１０から出射されるレーザー光の光軸Ｌ１と、光検出装置２０の受光光学系の光軸Ｌ２とがなす角度が９０°±２０°（すなわち、７０〜１１０°）の範囲では一定の効果を奏することができる。ただし、数センチメートル以下の高い分解能を得るためには、光軸Ｌ１と光軸Ｌ２とがなす角度が９０°±１０°（すなわち、８０〜１００°）となるように構成することが好ましい。この場合も、支持具によりレーザー装置１０および光検出装置２０の位置を固定することができる。
【００４２】
また、レーザー装置１０から出射されるパルスレーザー光の光軸Ｌ１と、光検出装置２０の受光光学系の光軸Ｌ２とがなす角度を９０°とした場合、ラマン散乱光をパルスレーザー光の偏光面に対して垂直方向から観測する必要がある。そのため、たとえば、図３に示す構成に代えて、光検出装置２０をガス測定対象空間（たとえば、ガスセルまたはガス放出ノズル）の下方に配置した構成の場合には、レーザー光源１１とビームエキスパンダー１２との間に、パルスレーザー光の偏光方向を変えるλ／２波長板を配置し、偏光方向を水平方向にする必要がある。
【符号の説明】
【００４３】
１…ガス濃度測定装置
１０…レーザー装置
１１…レーザー光源
１２…ビームエキスパンダー
２０…光検出装置
２１…集光光学系
２２…ピンホール
２３…凸レンズ
２４…ラマン分光用エッジフィルタ
２５…バンドパスフィルタ
２６…光センサ
２７…フィルタホイール
３０…測定装置
【図１】
2020034475.tif 000004
【図２】
2020034475.tif 000005
【図３】
2020034475.tif 000006
【図４】
2020034475.tif 000007
【図５】
2020034475.tif 000008
【図６】
2020034475.tif 000009
【図７】
2020034475.tif 000010
【図８】
2020034475.tif 000011
【図９】
2020034475.tif 000012
【図１０】
2020034475.tif 000013